(57)【要約】【課題】トップビュー型のＬＥＤを用いる場合であっても、薄型化を図ること。【解決手段】  実施形態に係る面状照明装置は、基板と、複数の光源ユニットと、第１配線と、第２配線と、を備える。基板は、帯形状の帯状部と、帯状部の中央部から帯状部の短手方向に向かって突出する外部接続部とを有する。そして、１つの外部接続部に対応するすべての光源ユニットの第１極は、光源ユニットの第２極よりも外部接続部から離れて設けられる。第１配線は、外部接続部から延びる配線を有し、該配線は、外部接続部に隣接する一対の光源ユニットの第２極の間を経由して、帯状部において外部接続部が設けられる長辺とは反対側の長辺に近接する位置に延び、帯状部の長手方向に沿って配置される配線に接続されている。【選択図】図３Ａ
2020115465.tif 000002
【特許請求の範囲】
【請求項１】
帯形状の帯状部と、前記帯状部の中央部から前記帯状部の短手方向に向かって突出する外部接続部とを有する基板と、
複数の光源が直列に接続されて設けられ、両端側にそれぞれ第１極と第２極とを有し、前記基板の前記帯状部の長手方向に沿って配置され、前記光源の発光面が導光板の側面と対向する複数の光源ユニットと、
前記帯状部の前記外部接続部とは反対側に前記帯状部の長手方向に沿って配置される配線を有し、前記外部接続部と前記第１極との間を接続する第１配線と、
前記外部接続部と前記第２極との間を接続する第２配線と、
を備え、
１つの外部接続部に対応するすべての前記光源ユニットの前記第１極は、当該光源ユニットの前記第２極よりも当該外部接続部から離れて設けられ、
前記第２配線は、複数設けられ、複数の前記第２配線が前記外部接続部と複数の前記第２極との間を個別に接続して、前記複数の光源ユニットに個別に電力の供給を可能とし、
前記第１配線は、前記外部接続部から延びる配線を有し、該配線は、前記外部接続部に隣接する一対の前記光源ユニットの前記第２極の間を経由して、前記帯状部において前記外部接続部が設けられる長辺とは反対側の長辺に近接する位置に延び、前記帯状部の長手方向に沿って配置される配線に接続されている、
面状照明装置。
【請求項２】
前記第１配線は、複数の前記第１極のうち複数と前記外部接続部とを共通して接続する、
請求項１に記載の面状照明装置。
【請求項３】
前記外部接続部に隣接する一対の前記光源ユニットの前記第２極は、
前記基板の前記帯状部において前記外部接続部と向かい合う対向領域に配置される、
請求項１または２に記載の面状照明装置。
【請求項４】
前記光源ユニットは、
１つの外部接続部に対して３つ以上設けられる、
請求項１〜３のいずれか一つに記載の面状照明装置。
【請求項５】
前記第１極は正極であり、
前記第２極は負極である、
請求項１〜４のいずれか一つに記載の面状照明装置。
【請求項６】
前記光源ユニットは、前記複数の光源が前記基板の前記帯状部の長手方向に沿って配置されている、
請求項１〜５のいずれか一つに記載の面状照明装置。
【請求項７】
前記導光板は、前記光源の発光面と対向する前記側面に光が入射され、主面から光を出射する、
請求項１〜６のいずれか一つに記載の面状照明装置。
【発明の詳細な説明】
【技術分野】
【０００１】
本発明は、面状照明装置に関する。
【背景技術】
【０００２】
トップビュー型のＬＥＤ（Light  Emitting  Diode）が導光板の側面に対向して配置される面状照明装置がある。かかる面状照明装置では、たとえば、複数のＬＥＤが直列に接続されて構成される光源ユニットが、並列に接続されている（たとえば、特許文献１参照）。
【先行技術文献】
【特許文献】
【０００３】
【特許文献１】特開２００８−２９８９０５号公報
【発明の概要】
【発明が解決しようとする課題】
【０００４】
しかしながら、複数の光源ユニットを並列に接続すると、かかる光源ユニットが実装される基板において、多数の配線を基板の短手方向に並べて引きまわさなければならないため、基板の短手方向の幅を広くせざるを得ない。これにより、かかる基板の短手方向の幅が影響を与えて、面状照明装置の薄型化に支障が出る恐れがある。
【０００５】
本発明は、上記に鑑みてなされたものであって、トップビュー型のＬＥＤを用いる場合であっても、薄型化を図ることができる面状照明装置を提供することを目的とする。
【課題を解決するための手段】
【０００６】
上述した課題を解決し、目的を達成するために、本発明の一態様に係る面状照明装置は、基板と、複数の光源ユニットと、第１配線と、第２配線と、を備える。前記基板は、帯形状の帯状部と、前記帯状部の中央部から前記帯状部の短手方向に向かって突出する外部接続部とを有する。複数の前記光源ユニットは、複数の光源が直列に接続されて設けられ、両端側にそれぞれ第１極と第２極とを有し、前記基板の前記帯状部の長手方向に沿って配置され、前記光源の発光面が導光板の側面と対向する。前記第１配線は、前記帯状部の前記外部接続部とは反対側に前記帯状部の長手方向に沿って配置される配線を有し、前記外部接続部と前記第１極との間を接続する。前記第２配線は、前記外部接続部と前記第２極との間を接続する。そして、１つの外部接続部に対応するすべての前記光源ユニットの前記第１極は、当該光源ユニットの前記第２極よりも当該外部接続部から離れて設けられる。前記第２配線は、複数設けられ、複数の前記第２配線が前記外部接続部と複数の前記第２極との間を個別に接続して、前記複数の光源ユニットに個別に電力の供給を可能とする。前記第１配線は、前記外部接続部から延びる配線を有し、該配線は、前記外部接続部に隣接する一対の前記光源ユニットの前記第２極の間を経由して、前記帯状部において前記外部接続部が設けられる長辺とは反対側の長辺に近接する位置に延び、前記帯状部の長手方向に沿って配置される配線に接続されている。
【発明の効果】
【０００７】
本発明の一態様によれば、トップビュー型のＬＥＤを用いる場合であっても、薄型化を図ることができる。
【図面の簡単な説明】
【０００８】
【図１】図１は、実施形態に係る面状照明装置の外観の一例を示した正面図である。
【図２】図２は、図１のＡ−Ａ線における断面図である。
【図３Ａ】図３Ａは、実施形態に係る基板の搭載面側を模式的に示した正面図である。
【図３Ｂ】図３Ｂは、実施形態に係る基板の配線面側を模式的に示した正面図である。
【図４Ａ】図４Ａは、比較例１における基板の搭載面側を模式的に示した正面図である。
【図４Ｂ】図４Ｂは、比較例１における基板の配線面側を模式的に示した正面図である。
【図５Ａ】図５Ａは、比較例２における基板の搭載面側を模式的に示した正面図である。
【図５Ｂ】図５Ｂは、比較例２における基板の配線面側を模式的に示した正面図である。
【図６Ａ】図６Ａは、実施形態の変形例１に係る基板の搭載面側を模式的に示した正面図である。
【図６Ｂ】図６Ｂは、実施形態の変形例１に係る基板の配線面側を模式的に示した正面図である。
【図７Ａ】図７Ａは、実施形態の変形例２に係る基板の搭載面側を模式的に示した正面図である。
【図７Ｂ】図７Ｂは、実施形態の変形例２に係る基板の配線面側を模式的に示した正面図である。
【図８Ａ】図８Ａは、実施形態の変形例３に係る基板の搭載面側を模式的に示した正面図である。
【図８Ｂ】図８Ｂは、実施形態の変形例３に係る基板の配線面側を模式的に示した正面図である。
【発明を実施するための形態】
【０００９】
以下、実施形態に係る面状照明装置について図面を参照して説明する。なお、図面における各要素の寸法の関係、各要素の比率などは、現実と異なる場合がある。図面の相互間においても、互いの寸法の関係や比率が異なる部分が含まれている場合がある。
【００１０】
＜面状照明装置の概要＞
まずは、面状照明装置１０の概要について、図１を用いて説明する。図１は、実施形態に係る面状照明装置１０の外観の一例を示した正面図である。図１に示すように、実施形態に係る面状照明装置１０は、遮光シート３０で覆われていない出射領域である有効エリア４０から光を出射する。すなわち、遮光シート３０により、有効エリア４０が規定される。
【００１１】
実施形態に係る面状照明装置１０は、液晶表示装置のバックライトとして用いられる。かかる液晶表示装置は、たとえば、スマートフォンにおいて用いられる。
【００１２】
なお、図１において、右側の遮光シート３０よりも左側の遮光シート３０の方が、幅が広い。これは、右側の遮光シート３０は、後述するＬＥＤ１４や基板１２などが含まれない比較的狭い領域を覆う一方で、左側の遮光シート３０は、後述するＬＥＤ１４や基板１２などを含む比較的広い領域を覆うためである。左側の遮光シート３０の幅は、たとえば、１．５ｍｍである。
【００１３】
＜面状照明装置の詳細な構成＞
つづいて、面状照明装置１０の詳細な構成について、図２を用いて説明する。図２は、図１のＡ−Ａ線における断面図である。図２に示すように、面状照明装置１０は、フレーム１１と、基板１２と、接続部材１３と、ＬＥＤ１４と、導光板１５と、第１連結部材１６と、第２連結部材１７と、拡散シート１８と、プリズムシート１９と、反射シート２１と、遮光シート３０とを含む。
【００１４】
フレーム１１は、基板１２と、接続部材１３と、ＬＥＤ１４と、導光板１５と、第１連結部材１６と、第２連結部材１７と、拡散シート１８と、プリズムシート１９とを収納する部材である。フレーム１１は、剛性と光の反射率が大きい、たとえば、ステンレス製の板金フレームである。フレーム１１は、底部１１ａと、側壁部１１ｂとを有する。
【００１５】
底部１１ａは、導光板１５の後述する裏面１５ｃに沿って広がる部位である。底部１１ａは、床面１１ｃを有する。かかる床面１１ｃは、平面１１ｃ１と、後述する凹部１１ｅに形成される凹状の面１１ｃ２とを有する。そのうち凹状の面１１ｃ２には、ＬＥＤ１４や導光板１５の少なくとも一部が載置される。
【００１６】
側壁部１１ｂは、導光板１５の後述する側面１５ａの長辺に沿って、底部１１ａから光が出射する方向（床面１１ｃにおける平面１１ｃ１の法線方向）に一体に立ちあがる部位である。側壁部１１ｂは、側面１１ｄを有する。
【００１７】
また、底部１１ａには、凹部１１ｅが形成されている。凹部１１ｅは、床面１１ｃの側面１１ｄ側の部分から側面１１ｄに沿って光が出射する方向とは逆の方向に凹むように形成される部位である。凹部１１ｅは、底部に凹状の面１１ｃ２を有する。そして、凹部１１ｅの幅は、第１連結部材１６が凹状の面１１ｃ２に配置されるような幅に形成されている。
【００１８】
基板１２は、たとえばＦＰＣ（Flexible  Printed  Circuit）である。基板１２は、２つの主面を有し、一方の主面である搭載面１２ａに、ＬＥＤ１４が実装される基板である。そして、搭載面１２ａとは反対側の主面である配線面１２ｂには、第１配線６０（図３Ｂ参照）と第２配線６１Ａ〜６１Ｄ（図３Ｂ参照）とが設けられる。
【００１９】
基板１２は、帯形状の帯状部１２ｃと、帯状部１２ｃの底辺側から下方に突出する外部接続部１２ｄとを有する。かかる外部接続部１２ｄは、フレーム１１の凹部１１ｅに形成される貫通孔（図示せず）を挿通し、凹部１１ｅの凹状の面１１ｃ２とは反対の面側で平面１１ｃ１側に折り曲げられる。
【００２０】
また、基板１２には、外部接続部１２ｄと複数のＬＥＤ１４との間をつなぐように第１配線６０と第２配線６１Ａ〜６１Ｄとが形成されている。そして、外部接続部１２ｄと外部電源（図示せず）とが接続され、第１配線６０や第２配線６１Ａ〜６１Ｄを経由してかかる外部電源からの電力が複数のＬＥＤ１４に供給されることにより、複数のＬＥＤ１４を発光させることができる。基板１２の詳細な構成については後述する。
【００２１】
接続部材１３は、フレーム１１の側面１１ｄに対して基板１２を固定させる部材である。接続部材１３は、たとえば、絶縁性の両面テープである。そして、接続部材１３の一方の面が基板１２の配線面１２ｂに貼り付けられ、他方の面が側面１１ｄに貼り付けられることにより、側面１１ｄに対して基板１２が固定される。
【００２２】
ＬＥＤ１４は、点状の光源（点状光源）である。ＬＥＤ１４は、たとえば、青色ＬＥＤと黄色蛍光体とからなる疑似白色ＬＥＤである。ＬＥＤ１４は、全体として直方体状に形成され、基板１２に実装される面と反対側の面に発光面１４ａを有する、いわゆるトップビュー型のＬＥＤである。
【００２３】
実施形態では、ＬＥＤ１４が複数設けられる。また、複数のＬＥＤ１４は、その発光面１４ａを、導光板１５の側面１５ａに対向させた状態で、側面１５ａの長辺方向に沿って並んで配置される。そして、複数のＬＥＤ１４は、側面１５ａに向けて光を発する。このように、複数のＬＥＤ１４は、導光板１５の側面１５ａに入射される光を発光する。複数のＬＥＤ１４の詳細な配置については後述する。
【００２４】
導光板１５は、透明材料（たとえば、ポリカーボネート樹脂）を用いて平板状に形成されている。導光板１５は、その外表面に、側面１５ａと、主面１５ｂと、裏面１５ｃとを有する。
【００２５】
側面１５ａは、ＬＥＤ１４の発光面１４ａから発光した光が入射される入射面である。また、主面１５ｂは、側面１５ａから入射された光が外方に出射される出射面である。さらに、主面１５ｂとは反対側の面である裏面１５ｃには、たとえば、複数のドットからなる光路変更パターンが形成されている。
【００２６】
かかる光路変更パターンを形成することにより、導光板１５内を進む光の向きが変えられて、主面１５ｂから効率的に光が出射される。すなわち、実施形態に係る面状照明装置１０は、いわゆるエッジライト型の照明装置である。
【００２７】
第１連結部材１６は、ＬＥＤ１４および導光板１５と、床面１１ｃの凹状の面１１ｃ２との間に配置され、導光板１５とＬＥＤ１４とを光学的および機械的に連結させる部材である。
【００２８】
具体的には、第１連結部材１６は、ＬＥＤ１４の光軸（たとえば、ＬＥＤ１４の厚さ方向における中心）と導光板１５の光軸（たとえば、導光板１５の厚さ方向における中心）とを一致させた状態で、または、ＬＥＤ１４の下面と導光板１５の裏面１５ｃとを面一にした状態で、ＬＥＤ１４の発光面１４ａと導光板１５の側面１５ａとを連結させる。第１連結部材１６は、基材１６ａと粘着層１６ｂとを含み、粘着層１６ｂ側のみが接着可能となる部材である。
【００２９】
基材１６ａは、たとえば、ＰＥＴであり、粘着層１６ｂは、たとえば、両面テープである。粘着層１６ｂは、導光板１５の裏面１５ｃのＬＥＤ１４寄りの少なくとも一部に接着されるとともに、ＬＥＤ１４の床面１１ｃ側の面の導光板１５寄りの少なくとも一部に接着される。
【００３０】
かかる第１連結部材１６に、ＬＥＤ１４の床面１１ｃ側の面の少なくとも一部と、導光板１５の裏面１５ｃの少なくとも一部とが取り付けられる。これにより、第１連結部材１６は、ＬＥＤ１４の発光面１４ａと導光板１５の側面１５ａとを連結させることができる。
【００３１】
たとえば、ＬＥＤ１４の厚さと導光板１５の厚さが異なる場合であっても、ＬＥＤ１４の床面１１ｃ側の面と導光板１５の裏面１５ｃとを面一にして、ＬＥＤ１４と導光板１５とを連結することができる。したがって、実施形態によれば、第１連結部材１６により、ＬＥＤ１４と導光板１５との光の結合効率を安定させることができる。
【００３２】
ここで、仮に、第１連結部材１６が両面とも接着可能である場合について説明する。この場合には、床面１１ｃに対してＬＥＤ１４と導光板１５とが固定される。したがって、面状照明装置１０に外部から何らかの力が加わると、ＬＥＤ１４と導光板１５とは、その力を逃がすことができずに、破損してしまう恐れがある。
【００３３】
しかしながら、実施形態に係る第１連結部材１６は、粘着層１６ｂが配置される側のみが接着可能であるため、床面１１ｃに対してＬＥＤ１４および導光板１５が固定されない。これにより、ＬＥＤ１４および導光板１５は、外部からの力を逃がすことができる。したがって、実施形態に係る面状照明装置１０によれば、ＬＥＤ１４および導光板１５の破損の発生を抑制することができる。
【００３４】
第２連結部材１７は、ＬＥＤ１４および導光板１５に対して第１連結部材１６とは反対側に配置され、ＬＥＤ１４と導光板１５とを光学的および機械的に連結させる部材である。具体的には、第２連結部材１７は、ＬＥＤ１４の発光面１４ａと導光板１５の側面１５ａとを連結させる。第２連結部材１７は、後述する拡散シート１８とＬＥＤ１４および導光板１５との間に配置される。
【００３５】
第２連結部材１７は、たとえば、両面テープであり、一方の面が、ＬＥＤ１４の床面１１ｃとは反対側の面の導光板１５寄りの少なくとも一部に貼り付けられるとともに、導光板１５の主面１５ｂにおけるＬＥＤ１４寄りの少なくとも一部に貼り付けられる。
【００３６】
すなわち、第２連結部材１７に、ＬＥＤ１４の床面１１ｃとは反対側の面の少なくとも一部と、導光板１５の主面１５ｂの少なくとも一部とが取り付けられる。したがって、第２連結部材１７により、ＬＥＤ１４の発光面１４ａと導光板１５の側面１５ａとを連結させることができる。
【００３７】
また、第２連結部材１７の他方の面は、拡散シート１８の側壁部１１ｂ側の少なくとも一部に貼り付けられる。これにより、第２連結部材１７は、拡散シート１８を導光板１５に固定させることから、拡散シート１８が導光板１５から浮いてしまうことを抑制することができる。したがって、実施形態によれば、有効エリア４０から出射される光の輝度や輝度分布などの輝度特性の劣化を抑制することができる。
【００３８】
拡散シート１８は、導光板１５の主面１５ｂ側に配置され、主面１５ｂから出射される光を拡散する部材である。具体的には、拡散シート１８は、主面１５ｂおよびＬＥＤ１４の床面１１ｃとは反対側の面の少なくとも一部を覆うように配置される。
【００３９】
プリズムシート１９は、拡散シート１８に対して導光板１５とは反対側に配置され、拡散シート１８により拡散された光の配光制御を行って、配光制御が行われた光を出射する部材である。
【００４０】
反射シート２１は、導光板１５の裏面１５ｃから漏れた光を反射して、ふたたび導光板１５に戻す部材である。反射シート２１は、両面テープ２２により床面１１ｃの平面１１ｃ１上に固定された状態で、導光板１５の裏面１５ｃと床面１１ｃとの間に配置される。
【００４１】
両面テープ２２は、たとえば、白色の両面テープであり、一方の面が反射シート２１の一部に貼り付けられ、他方の面が床面１１ｃの平面１１ｃ１に貼り付けられる。これにより、反射シート２１は床面１１ｃ上に固定される。
【００４２】
遮光シート３０は、プリズムシート１９の側壁部１１ｂ側の一部を覆うように配置され、導光板１５の主面１５ｂのうち一部の領域から出射される光を遮ることにより、面状照明装置１０から光が出射される有効エリア４０を規定する部材である。
【００４３】
遮光シート３０は、第１遮光シート３０ａと第２遮光シート３０ｂとを含む。第１遮光シート３０ａは、たとえば、光を遮ることが可能な片面テープであり、一端側の部分がフレーム１１の側壁部１１ｂの外側の面に貼り付けられる。
【００４４】
第２遮光シート３０ｂは、たとえば、光を遮ることが可能な両面テープである。第２遮光シート３０ｂが有する２つの面のうち、一方の面の一端側が、第１遮光シート３０ａの他端側の一部分に貼り付けられ、一方の面の他端側が、プリズムシート１９の側壁部１１ｂ側の一部分に貼り付けられる。
【００４５】
また、第２遮光シート３０ｂの他方の面は、面状照明装置１０をバックライトとして用いる液晶表示装置（図示せず）に貼り付けられる。これにより、かかる液晶表示装置に面状照明装置１０を固定することができる。
【００４６】
＜基板の詳細な構成およびＬＥＤの詳細な配置＞
つづいて、実施形態にかかる基板１２の詳細な構成およびＬＥＤ１４の詳細な配置について、図３Ａおよび図３Ｂを用いて説明する。図３Ａは、実施形態に係る基板１２の搭載面１２ａ側を模式的に示した正面図であり、図３Ｂは、実施形態に係る基板１２の配線面１２ｂ側を模式的に示した正面図である。
【００４７】
図３Ａおよび図３Ｂに示すように、基板１２は、帯状部１２ｃと、外部接続部１２ｄとを有する。帯状部１２ｃは、細長い帯形状の部位である。外部接続部１２ｄは、帯状部１２ｃの長手方向Ｌにおける中央部から、帯状部１２ｃの短手方向Ｓに沿って突出する部位である。
【００４８】
なお、本実施形態において「帯形状」とは、図３Ａおよび図３Ｂなどに示したように直線状である必要はなく、たとえば、導光板１５の側面１５ａの形状などに対応して、曲線状であってもよく、折れ曲がっていてもよい。
【００４９】
そして、図３Ａに示すように、基板１２の帯状部１２ｃにおける搭載面１２ａには、ＬＥＤ１４が複数個直列に接続される光源ユニット２４Ａ〜２４Ｄが設けられる。たとえば、図３Ａに示すように、光源ユニット２４Ａ〜２４Ｄには、それぞれＬＥＤ１４が５つずつ設けられる。
【００５０】
なお、１つの光源ユニット２４に設けられるＬＥＤ１４は５つに限られず、いくつであってもよい。さらに、それぞれの光源ユニット２４において、設けられるＬＥＤ１４の数が異なっていてもよい。また、上述のように、以降の説明において光源ユニット２４Ａ〜２４Ｄを総称する場合には、光源ユニット２４と呼称する場合がある。
【００５１】
光源ユニット２４Ａ〜２４Ｄは、それぞれ第１極である正極５０Ａ〜５０Ｄと、第２極である負極５１Ａ〜５１Ｄとを有する。なお、以降の説明において、正極５０Ａ〜５０Ｄを総称する場合には正極５０と呼称し、負極５１Ａ〜５１Ｄを総称する場合には負極５１と呼称する場合がある。
【００５２】
また、１つの光源ユニット２４では、複数のＬＥＤ１４が帯状部１２ｃの長手方向Ｌに沿って並んで設けられるとともに、長手方向Ｌにおける一端側に正極５０が配置され、他端側に負極５１が配置される。そして、４つの光源ユニット２４Ａ〜２４Ｄは、帯状部１２ｃの長手方向Ｌに沿って並んで設けられる。
【００５３】
かかる４つの光源ユニット２４Ａ〜２４Ｄのうち、光源ユニット２４Ａ、２４Ｂは、外部接続部１２ｄを基点として帯状部１２ｃの一方側（図３Ａでは左側）に設けられる。また、残りの光源ユニット２４Ｃ、２４Ｄは、外部接続部１２ｄを基点として帯状部１２ｃの他方側（図３Ａでは右側）に設けられる。
【００５４】
ここで、４つの光源ユニット２４Ａ〜２４Ｄの正極５０Ａ〜５０Ｄは、対応する負極５１Ａ〜５１Ｄよりも外部接続部１２ｄからいずれも離れて設けられる。すなわち、すべての光源ユニット２４において、負極５１は対応する正極５０よりも外部接続部１２ｄ側に設けられる。
【００５５】
つづいて、図３Ｂを参照しながら、４つの光源ユニット２４Ａ〜２４Ｄに電力を供給する配線の構成について説明する。
【００５６】
上述した４つの光源ユニット２４Ａ〜２４Ｄにおける正極５０Ａ〜５０Ｄおよび負極５１Ａ〜５１Ｄは、それぞれ貫通ビアなどを経由して、基板１２の反対側の主面である配線面１２ｂにつながっている。そこで、以下の実施形態においては、理解を容易にするため、貫通ビアなどでそれぞれ接続される配線面１２ｂ側の部位についても、正極５０Ａ〜５０Ｄおよび負極５１Ａ〜５１Ｄと呼称する。
【００５７】
外部接続部１２ｄの配線面１２ｂ側には、外部電源（図示せず）の高電圧側に接続される第１端子７０が設けられる。そして、かかる第１端子７０には第１配線６０が接続される。かかる第１配線６０は、第１端子７０から帯状部１２ｃの短手方向Ｓに沿って延び、負極５１Ｂと負極５１Ｃとの間を経由して、接点６０ａにつながっている。ここで、接点６０ａは、帯状部１２ｃにおいて外部接続部１２ｄが設けられる長辺とは反対側の長辺に近接して配置される。
【００５８】
さらに、第１配線６０は、接点６０ａから帯状部１２ｃの長手方向Ｌにおける両端側に分岐しており、かかる分岐した第１配線６０ｂ、６０ｃは長手方向Ｌに沿って延びている。そして、分岐した第１配線６０のうち、光源ユニット２４Ａ、２４Ｂが配置される側に延びる第１配線６０ｂは、さらに、正極５０Ａ、５０Ｂの近傍から帯状部１２ｃの短手方向Ｓに沿って延び、正極５０Ａ、５０Ｂにそれぞれつながっている。
【００５９】
また、分岐した第１配線６０のうち、光源ユニット２４Ｃ、２４Ｄが配置される側に延びる第１配線６０ｃは、さらに、正極５０Ｃ、５０Ｄの近傍から帯状部１２ｃの短手方向Ｓに沿って延び、正極５０Ｃ、５０Ｄにそれぞれつながっている。ここまで説明したように、第１配線６０は、第１端子７０と正極５０Ａ〜５０Ｄとの間を１つの配線で共通して接続している。
【００６０】
つづいて、４つの光源ユニット２４Ａ〜２４Ｄの負極５１Ａ〜５１Ｄと、外部接続部１２ｄとの間を接続する配線の構成について説明する。光源ユニット２４Ａの負極５１Ａには、第２配線６１Ａが接続される。かかる第２配線６１Ａは、短手方向Ｓにおける外部接続部１２ｄに向かう方向に沿って延びた後、長手方向Ｌにおける外部接続部１２ｄに向かう方向に沿って延びる。
【００６１】
そして、第２配線６１Ａは、帯状部１２ｃのうち外部接続部１２ｄと向かい合う領域である対向領域１２ｅにおいて、短手方向Ｓにおける外部接続部１２ｄに向かう方向に向きを変え、外部接続部１２ｄの配線面１２ｂ側に設けられる第２端子７１Ａにつながっている。
【００６２】
なお、外部接続部１２ｄの配線面１２ｂ側には、第２端子７１Ａのほかに、第２端子７１Ｂ、７１Ｃ、７１Ｄが設けられる。かかる第２端子７１Ａ〜７１Ｄは、いずれも外部電源の低電圧側に接続される端子である。なお、以降の説明において、第２端子７１Ａ〜７１Ｄを総称する場合には第２端子７１と呼称する場合がある。
【００６３】
また、第２端子７１Ａ〜７１Ｄは、外部接続部１２ｄの突出方向側の縁部に長手方向Ｌに沿って、第２端子７１Ａ、第２端子７１Ｂ、第２端子７１Ｃ、第２端子７１Ｄの順に並んで配置される。そして、上述の第１端子７０は、第２端子７１Ｂと第２端子７１Ｃとの間に配置される。
【００６４】
なお、実施形態において、第１端子７０および第２端子７１Ａ〜７１Ｄはすべて基板１２の配線面１２ｂ側に設けられている。しかしながら、たとえば貫通ビアなどにより第１配線６０または第２配線６１Ａ〜６１Ｄを搭載面１２ａ側に引きまわすことにより、外部接続部１２ｄの搭載面１２ａ側に第１端子７０または第２端子７１Ａ〜７１Ｄの少なくとも１つを設けてもよい。
【００６５】
光源ユニット２４Ｂの負極５１Ｂには、第２配線６１Ｂが接続される。かかる第２配線６１Ｂは、短手方向Ｓにおける外部接続部１２ｄに向かう方向に沿って延び、第１配線６０と第２配線６１Ａとの間を通って、第２端子７１Ｂにつながっている。
【００６６】
光源ユニット２４Ｃの負極５１Ｃには、第２配線６１Ｃが接続される。かかる第２配線６１Ｃは、短手方向Ｓにおける外部接続部１２ｄに向かう方向に沿って延び、第１配線６０と後述する第２配線６１Ｄとの間を通って、第２端子７１Ｃにつながっている。
【００６７】
光源ユニット２４Ｄの負極５１Ｄには、第２配線６１Ｄが接続される。かかる第２配線６１Ｄは、短手方向Ｓにおける外部接続部１２ｄに向かう方向に沿って延びた後、長手方向Ｌにおける外部接続部１２ｄに向かう方向に沿って延びる。そして、第２配線６１Ｄは、帯状部１２ｃの対向領域１２ｅにおいて、短手方向Ｓにおける外部接続部１２ｄに向かう方向に向きを変え、第２端子７１Ｄにつながっている。
【００６８】
上述のように、第２配線６１Ａ〜６１Ｄは、第２端子７１Ａ〜７１Ｄと負極５１Ａ〜５１Ｄとの間をそれぞれ個別に接続している。なお、以降の説明において、第２配線６１Ａ〜６１Ｄを総称する場合には第２配線６１と呼称する場合がある。
【００６９】
ここまで説明した実施形態において、帯状部１２ｃの長手方向Ｌに沿って延び、短手方向Ｓに並んで引きまわされる並列配線の数は、最大でも２本である。かかる２本の並列配線は、帯状部１２ｃのうち対向領域１２ｅの縁部から負極５１Ａまでの領域１２ｆ１において、第１配線６０ｂと第２配線６１Ａとで形成される。
【００７０】
また、かかる２本の並列配線は、帯状部１２ｃのうち対向領域１２ｅの縁部から負極５１Ｄまでの領域１２ｆ２において、第１配線６０ｃと第２配線６１Ｄとでも形成される。
【００７１】
このように、１つの外部接続部１２ｄから４つの光源ユニット２４Ａ〜２４Ｄに並列に配線を接続する場合に、実施形態によれば、帯状部１２ｃの長手方向Ｌに沿って延び、短手方向Ｓに並んで引きまわされる並列配線の数を、最大でも２本にすることができる。
【００７２】
つづいて、図４Ａ〜図５Ｂを参照しながら、１つの外部接続部１２ｄから４つの光源ユニット２４Ａ〜２４Ｄに並列に配線を接続する場合に、帯状部１２ｃの長手方向Ｌに沿って延び、短手方向Ｓに並んで引きまわされる並列配線の数が各種比較例でどのようになるのかについて説明する。
【００７３】
図４Ａは、比較例１における基板１２の搭載面１２ａ側を模式的に示した正面図であり、図４Ｂは、比較例１における基板１２の配線面１２ｂ側を模式的に示した正面図である。
【００７４】
なお、比較例１では、４つの光源ユニット２４Ａ〜２４Ｄのうち、光源ユニット２４Ｃ、２４Ｄにおける正極５０Ｃ、５０Ｄおよび負極５１Ｃ、５１Ｄの向きが実施形態とは異なる。これ以外の部分については実施形態と同様であることから、同様の箇所については説明を省略する。
【００７５】
図４Ａに示すように、４つの光源ユニット２４Ａ〜２４Ｄのうち、光源ユニット２４Ａ、２４Ｂの正極５０Ａ、５０Ｂは、対応する負極５１Ａ、５１Ｂよりも外部接続部１２ｄから離れて設けられる。一方で、残りの光源ユニット２４Ｃ、２４Ｄの正極５０Ｃ、５０Ｄは、対応する負極５１Ｃ、５１Ｄよりも外部接続部１２ｄの近くに設けられる。換言すると、すべての光源ユニット２４において、正極５０および負極５１の向きはすべて同じ向きに配置される。
【００７６】
このような光源ユニット２４Ｃ、２４Ｄの配置において、光源ユニット２４Ｃ、２４Ｄに接続される第１配線６０および第２配線６１Ｃ、６１Ｄの配置は、図４Ｂに示すようになる。
【００７７】
接点６０ａから分岐した第１配線６０のうち、光源ユニット２４Ｃ、２４Ｄが配置される側に延びる第１配線６０ｃは、さらに、正極５０Ｃ、５０Ｄの近傍から帯状部１２ｃの短手方向Ｓに沿って延び、正極５０Ｃ、５０Ｄにそれぞれつながっている。
【００７８】
光源ユニット２４Ｃの負極５１Ｃに接続される第２配線６１Ｃは、短手方向Ｓにおける外部接続部１２ｄに向かう方向に沿って延びた後、長手方向Ｌにおける外部接続部１２ｄに向かう方向に沿って延びる。そして、第２配線６１Ｃは、帯状部１２ｃの対向領域１２ｅにおいて、短手方向Ｓにおける外部接続部１２ｄに向かう方向に向きを変え、第２端子７１Ｃにつながっている。
【００７９】
光源ユニット２４Ｄの負極５１Ｄに接続される第２配線６１Ｄは、短手方向Ｓにおける外部接続部１２ｄに向かう方向に沿って延びた後、長手方向Ｌにおける外部接続部１２ｄに向かう方向に沿って延びる。そして、第２配線６１Ｄは、対向領域１２ｅにおいて短手方向Ｓにおける外部接続部１２ｄに向かう方向に向きを変え、第２端子７１Ｄにつながっている。
【００８０】
このような配線の構成を有する比較例１において、帯状部１２ｃの長手方向Ｌに沿って延び、短手方向Ｓに並んで引きまわされる並列配線の数は、最大で３本になる。かかる３本の並列配線は、帯状部１２ｃのうち対向領域１２ｅの縁部から負極５１Ｃまでの領域１２ｇにおいて、第１配線６０ｃと第２配線６１Ｃと第２配線６１Ｄとで形成される。
【００８１】
図５Ａは、比較例２における基板１２の搭載面１２ａ側を模式的に示した正面図であり、図５Ｂは、比較例２における基板１２の配線面１２ｂ側を模式的に示した正面図である。
【００８２】
なお、比較例２では、すべての光源ユニット２４における正極５０および負極５１の向きが実施形態とは異なる。これ以外の部分については実施形態と同様であることから、同様の箇所については説明を省略する。
【００８３】
図５Ａに示すように、４つの光源ユニット２４Ａ〜２４Ｄの正極５０Ａ〜５０Ｄは、対応する負極５１Ａ〜５１Ｄよりも外部接続部１２ｄの近くに設けられる。このような光源ユニット２４Ａ〜２４Ｄの配置において、光源ユニット２４Ａ〜２４Ｄに接続される第１配線６０および第２配線６１Ａ〜６１Ｄの配置は、図５Ｂに示すようになる。
【００８４】
接点６０ａから分岐した第１配線６０のうち、光源ユニット２４Ａ、２４Ｂが配置される側に延びる第１配線６０ｂは、さらに、正極５０Ａ、５０Ｂの近傍から帯状部１２ｃの短手方向Ｓに沿って延び、正極５０Ａ、５０Ｂにそれぞれつながっている。
【００８５】
また、接点６０ａから分岐した第１配線６０のうち、光源ユニット２４Ｃ、２４Ｄが配置される側に延びる第１配線６０ｃは、さらに、正極５０Ｃ、５０Ｄの近傍から帯状部１２ｃの短手方向Ｓに沿って延び、正極５０Ｃ、５０Ｄにそれぞれつながっている。
【００８６】
光源ユニット２４Ａの負極５１Ａに接続される第２配線６１Ａは、短手方向Ｓにおける外部接続部１２ｄに向かう方向に沿って延びた後、長手方向Ｌにおける外部接続部１２ｄに向かう方向に沿って延びる。そして、第２配線６１Ａは、対向領域１２ｅにおいて短手方向Ｓにおける外部接続部１２ｄに向かう方向に向きを変え、第２端子７１Ａにつながっている。
【００８７】
光源ユニット２４Ｂの負極５１Ｂに接続される第２配線６１Ｂは、短手方向Ｓにおける外部接続部１２ｄに向かう方向に沿って延びた後、長手方向Ｌにおける外部接続部１２ｄに向かう方向に沿って延びる。そして、第２配線６１Ｂは、対向領域１２ｅにおいて短手方向Ｓにおける外部接続部１２ｄに向かう方向に向きを変え、第２端子７１Ｂにつながっている。
【００８８】
光源ユニット２４Ｃの負極５１Ｃに接続される第２配線６１Ｃは、短手方向Ｓにおける外部接続部１２ｄに向かう方向に沿って延びた後、長手方向Ｌにおける外部接続部１２ｄに向かう方向に沿って延びる。そして、第２配線６１Ｃは、対向領域１２ｅにおいて短手方向Ｓにおける外部接続部１２ｄに向かう方向に向きを変え、第２端子７１Ｃにつながっている。
【００８９】
光源ユニット２４Ｄの負極５１Ｄに接続される第２配線６１Ｄは、短手方向Ｓにおける外部接続部１２ｄに向かう方向に沿って延びた後、長手方向Ｌにおける外部接続部１２ｄに向かう方向に沿って延びる。そして、第２配線６１Ｄは、対向領域１２ｅにおいて短手方向Ｓにおける外部接続部１２ｄに向かう方向に向きを変え、第２端子７１Ｄにつながっている。
【００９０】
このような配線の構成を有する比較例２において、帯状部１２ｃの長手方向Ｌに沿って延び、短手方向Ｓに並んで引きまわされる並列配線の数は、最大で３本になる。かかる３本の並列配線は、帯状部１２ｃのうち対向領域１２ｅの縁部から負極５１Ｂまでの領域１２ｈにおいて、第１配線６０ｂと第２配線６１Ａと第２配線６１Ｂとで形成される。
【００９１】
また、かかる３本の並列配線は、帯状部１２ｃのうち対向領域１２ｅの縁部から負極５１Ｃまでの領域１２ｇにおいて、第１配線６０ｃと第２配線６１Ｃと第２配線６１Ｄとでも形成される。
【００９２】
ここまで示したように、実施形態によれば、比較例１および比較例２にくらべて、１つの外部接続部１２ｄから４つの光源ユニット２４Ａ〜２４Ｄに並列に配線を接続する場合に、帯状部１２ｃの長手方向Ｌに沿って延び、短手方向Ｓに並んで引きまわされる配線の最大数を少なくすることができる。
【００９３】
これにより、帯状部１２ｃにおける短手方向Ｓの幅を狭くしても、問題なく並列配線を引きまわすことができる。したがって、実施形態によれば、帯状部１２ｃにおける短手方向Ｓの幅を狭くすることができることから、トップビュー型のＬＥＤ１４を用いる場合であっても、面状照明装置１０の薄型化を図ることができる。
【００９４】
図３Ａおよび図３Ｂに示した実施形態において、負極５１Ａ〜５１Ｄに接続される第２配線６１Ａ〜６１Ｄは、すべて個別に第２端子７１Ａ〜７１Ｄに接続される。これにより、複数の光源ユニット２４において電圧降下の値が互いに異なる場合であっても、負極側の第２配線６１および第２端子７１が光源ユニット２４それぞれに個別に設けられていることから、他の光源ユニット２４の影響を受けることなく、すべての光源ユニット２４を安定して発光させることができる。
【００９５】
一方で、複数の光源ユニット２４において電圧降下の値が異なる場合に、正極側の第１配線６０が共通になっていても、不具合などは発生しない。そして、すべての光源ユニット２４において第１配線６０を共通にすることにより、第１配線６０を個別に引きまわす場合にくらべて、短手方向Ｓに並んで引きまわされる配線の最大数を少なくすることができる。
【００９６】
すなわち、実施形態によれば、すべての光源ユニット２４において正極側の第１配線６０を共通にすることにより、短手方向Ｓに並んで引きまわされる配線の最大数をさらに少なくすることができる。
【００９７】
また、実施形態において、第１配線６０は、第１端子７０から、外部接続部１２ｄに隣接する一対の光源ユニット２４Ｂ、２４Ｃの負極５１Ｂ、５１Ｃの間を経由して、帯状部１２ｃにおいて外部接続部１２ｄが設けられる長辺とは反対側の長辺に近接して配置される接点６０ａにつながっている。
【００９８】
これにより、帯状部１２ｃにおいて外部接続部１２ｄが設けられる長辺とは反対側の長辺に近接する位置（ここでは接点６０ａ）までは、配線を長手方向Ｌに沿って延ばさなくとも、短手方向Ｓに沿って延ばすだけで第１配線６０の形成が可能となる。したがって、接点６０ａから第１配線６０をすべての正極５０に共通して引きまわす際に、帯状部１２ｃの長手方向Ｌに沿って延び、短手方向Ｓに並んで引きまわされる第１配線６０の数を１本にすることができる。
【００９９】
すなわち、実施形態によれば、第１配線６０を外部接続部１２ｄの負極５１Ｂ、５１Ｃの間を経由させて、接点６０ａにつなげることにより、帯状部１２ｃの長手方向Ｌに沿って延び、短手方向Ｓに並んで引きまわされる配線の最大数をさらに少なくすることができる。
【０１００】
さらに、実施形態において、外部接続部１２ｄに隣接する光源ユニット２４Ｂ、２４Ｃの負極５１Ｂ、５１Ｃは、基板１２の帯状部１２ｃにおいて外部接続部１２ｄと向かい合う対向領域１２ｅに設けられる。これにより、負極５１Ｂと第２端子７１Ｂとを接続する第２配線６１Ｂと、負極５１Ｃと第２端子７１Ｃとを接続する第２配線６１Ｃとは、いずれも長手方向Ｌに沿って延ばさなくとも、短手方向Ｓに沿って延ばすだけで配線の形成が可能となる。
【０１０１】
すなわち、外部接続部１２ｄに隣接する光源ユニット２４Ｂ、２４Ｃの負極５１Ｂ、５１Ｃを対向領域１２ｅに配置することにより、帯状部１２ｃの長手方向Ｌに沿って延びる配線の数を増やすことなく、第２配線６１Ｂ、６１Ｃを形成することができる。したがって、実施形態によれば、帯状部１２ｃの長手方向Ｌに沿って延び、短手方向Ｓに並んで引きまわされる並列配線の数をさらに少なくすることができる。
【０１０２】
＜変形例＞
以降においては、実施形態に係る基板１２の各種変形例について説明する。図６Ａは、実施形態の変形例１に係る基板１２の搭載面１２ａ側を模式的に示した正面図であり、図６Ｂは、実施形態の変形例１に係る基板１２の配線面１２ｂ側を模式的に示した正面図である。
【０１０３】
変形例１にかかる基板１２は、搭載面１２ａにさらに光源ユニット２４Ｅが追加され、光源ユニット２４が５つ搭載されている点が上述の実施形態と異なる。これ以外の部位については実施形態と同様であることから、その他の部位については詳細な説明を省略する。
【０１０４】
図６Ａに示すように、基板１２の帯状部１２ｃにおける搭載面１２ａには、ＬＥＤ１４が複数個直列に接続される５つの光源ユニット２４Ａ〜２４Ｅが設けられる。
【０１０５】
ここで、５つの光源ユニット２４Ａ〜２４Ｅのうち、光源ユニット２４Ａ、２４Ｂは、外部接続部１２ｄを基点として帯状部１２ｃの一方側（図６Ａでは左側）に設けられる。また、残りの光源ユニット２４Ｃ〜２４Ｅは、外部接続部１２ｄを基点として帯状部１２ｃの他方側（図６Ａでは右側）に設けられる。すなわち、実施形態とくらべて、光源ユニット２４Ｄに隣接する位置に光源ユニット２４Ｅが追加されている。
【０１０６】
外部接続部１２ｄは、帯状部１２ｃの長手方向Ｌにおける中央部に相当する箇所から、帯状部１２ｃの短手方向Ｓに沿って突出する部位である。なお、変形例１において、図６Ａに示すように、外部接続部１２ｄは、帯状部１２ｃの長手方向Ｌにおける中心の位置からはシフトして配置されているが、これは奇数（５つ）の光源ユニット２４を帯状部１２ｃの両側に可能な範囲で均等に配置するためである。
【０１０７】
そのため、本実施形態では、外部接続部１２ｄが帯状部１２ｃの長手方向Ｌにおける中心の位置からシフトして配置されている場合についても、外部接続部１２ｄを帯状部１２ｃの長手方向Ｌにおける中央部に相当する箇所から突出する部位としてみなすことができる。
【０１０８】
そして、５つの光源ユニット２４Ａ〜２４Ｅの正極５０Ａ〜５０Ｅは、対応する負極５１Ａ〜５１Ｅよりも外部接続部１２ｄからいずれも離れて設けられる。すなわち、すべての光源ユニット２４において、負極５１は対応する正極５０よりも外部接続部１２ｄ側に設けられる。
【０１０９】
つづいて、図６Ｂを参照しながら、５つの光源ユニット２４Ａ〜２４Ｅに電力を供給する配線の構成について説明する。
【０１１０】
変形例１で追加された光源ユニット２４Ｅの正極５０Ｅには、第１配線６０が接続される。かかる第１配線６０は、実施形態と同様に、第１端子７０から帯状部１２ｃの短手方向Ｓに沿って延び、負極５１Ｂと負極５１Ｃとの間を経由して、接点６０ａにつながっている。
【０１１１】
さらに、第１配線６０は、接点６０ａから帯状部１２ｃの長手方向Ｌにおける両端側に分岐しており、かかる分岐した第１配線６０ｂ、６０ｃは長手方向Ｌに沿って延びている。そして、分岐した第１配線６０のうち、光源ユニット２４Ｃ〜２４Ｅが配置される側に延びる第１配線６０ｃが、さらに、正極５０Ｅの近傍から帯状部１２ｃの短手方向Ｓに沿って延び、正極５０Ｅにつながっている。
【０１１２】
また、変形例１で追加された光源ユニット２４Ｅの負極５１Ｅには、第２配線６１Ｅが接続される。かかる第２配線６１Ｅは、短手方向Ｓにおける外部接続部１２ｄに向かう方向に沿って延びた後、長手方向Ｌにおける外部接続部１２ｄに向かう方向に沿って延びる。そして、第２配線６１Ｅは、帯状部１２ｃの対向領域１２ｅにおいて、短手方向Ｓにおける外部接続部１２ｄに向かう方向に向きを変え、第２端子７１Ｅにつながっている。
【０１１３】
ここで、変形例１において、帯状部１２ｃの長手方向Ｌに沿って延び、短手方向Ｓに並んで引きまわされる並列配線の数は、最大でも３本である。かかる３本の並列配線は、帯状部１２ｃのうち対向領域１２ｅの縁部から負極５１Ｄまでの領域１２ｆ２において、第１配線６０ｃと第２配線６１Ｄと第２配線６１Ｅとで形成される。
【０１１４】
このように、１つの外部接続部１２ｄから５つの光源ユニット２４Ａ〜２４Ｅに並列に配線を接続する場合に、変形例１によれば、帯状部１２ｃの長手方向Ｌに沿って延び、短手方向Ｓに並んで引きまわされる並列配線の数を、最大でも３本にすることができる。
【０１１５】
次に、図７Ａおよび図７Ｂを参照しながら、実施形態の変形例２にかかる基板１２について説明する。図７Ａは、実施形態の変形例２に係る基板１２の搭載面１２ａ側を模式的に示した正面図であり、図７Ｂは、実施形態の変形例２に係る基板１２の配線面１２ｂ側を模式的に示した正面図である。
【０１１６】
変形例２にかかる基板１２は、搭載面１２ａにさらに光源ユニット２４Ｆが追加され、光源ユニット２４が６つ搭載されている点が上述の変形例１と異なる。これ以外の部位については変形例１と同様であることから、その他の部位については詳細な説明を省略する。
【０１１７】
図７Ａに示すように、基板１２の帯状部１２ｃにおける搭載面１２ａには、ＬＥＤ１４が複数個直列に接続される６つの光源ユニット２４Ａ〜２４Ｆが設けられる。
【０１１８】
ここで、６つの光源ユニット２４Ａ〜２４Ｆのうち、光源ユニット２４Ａ、２４Ｂ、２４Ｆは、外部接続部１２ｄを基点として帯状部１２ｃの一方側（図７Ａでは左側）に設けられる。また、残りの光源ユニット２４Ｃ〜２４Ｅは、外部接続部１２ｄを基点として帯状部１２ｃの他方側（図７Ａでは右側）に設けられる。すなわち、変形例１とくらべて、光源ユニット２４Ａに隣接する位置に光源ユニット２４Ｆが追加されている。
【０１１９】
そして、６つの光源ユニット２４Ａ〜２４Ｆの正極５０Ａ〜５０Ｆは、対応する負極５１Ａ〜５１Ｆよりも外部接続部１２ｄからいずれも離れて設けられる。すなわち、すべての光源ユニット２４において、負極５１は対応する正極５０よりも外部接続部１２ｄ側に設けられる。
【０１２０】
つづいて、図７Ｂを参照しながら、６つの光源ユニット２４Ａ〜２４Ｆに電力を供給する配線の構成について説明する。
【０１２１】
変形例２で追加された光源ユニット２４Ｆの正極５０Ｆには、第１配線６０が接続される。かかる第１配線６０は、変形例１と同様に、第１端子７０から帯状部１２ｃの短手方向Ｓに沿って延び、負極５１Ｂと負極５１Ｃとの間を経由して、接点６０ａにつながっている。
【０１２２】
さらに、第１配線６０は、接点６０ａから帯状部１２ｃの長手方向Ｌにおける両端側に分岐しており、かかる分岐した第１配線６０ｂ、６０ｃは長手方向Ｌに沿って延びている。そして、分岐した第１配線６０のうち、光源ユニット２４Ａ、２４Ｂが配置される側に延びる第１配線６０ｂが、さらに、正極５０Ｆの近傍から帯状部１２ｃの短手方向Ｓに沿って延び、正極５０Ｆにつながっている。
【０１２３】
また、変形例１で追加された光源ユニット２４Ｆの負極５１Ｆには、第２配線６１Ｆが接続される。かかる第２配線６１Ｆは、短手方向Ｓにおける外部接続部１２ｄに向かう方向に沿って延びた後、長手方向Ｌにおける外部接続部１２ｄに向かう方向に沿って延びる。そして、第２配線６１Ｆは、帯状部１２ｃの対向領域１２ｅにおいて、短手方向Ｓにおける外部接続部１２ｄに向かう方向に向きを変え、第２端子７１Ｆにつながっている。
【０１２４】
ここで、変形例２において、帯状部１２ｃの長手方向Ｌに沿って延び、短手方向Ｓに並んで引きまわされる並列配線の数は、最大でも３本である。かかる３本の並列配線は、帯状部１２ｃのうち対向領域１２ｅの縁部から負極５１Ａまでの領域１２ｆ１において、第１配線６０ｂと第２配線６１Ａと第２配線６１Ｆとで形成される。
【０１２５】
また、かかる３本の並列配線は、帯状部１２ｃのうち対向領域１２ｅの縁部から負極５１Ｄまでの領域１２ｆ２において、第１配線６０ｃと第２配線６１Ｄと第２配線６１Ｅとでも形成される。
【０１２６】
このように、１つの外部接続部１２ｄから６つの光源ユニット２４Ａ〜２４Ｆに並列に配線を接続する場合に、変形例２によれば、帯状部１２ｃの長手方向Ｌに沿って延び、短手方向Ｓに並んで引きまわされる並列配線の数を、最大でも３本にすることができる。
【０１２７】
次に、図８Ａおよび図８Ｂを参照しながら、実施形態の変形例３にかかる基板１２について説明する。図８Ａは、実施形態の変形例３に係る基板１２の搭載面１２ａ側を模式的に示した正面図であり、図８Ｂは、実施形態の変形例３に係る基板１２の配線面１２ｂ側を模式的に示した正面図である。
【０１２８】
変形例３にかかる基板１２は、光源ユニット２４Ａ〜２４Ｄのうち光源ユニット２４Ａが除かれて、光源ユニット２４が３つ搭載されている点が上述の実施形態と異なる。これ以外の部位については実施形態と同様であることから、その他の部位については詳細な説明を省略する。
【０１２９】
図８Ａに示すように、基板１２の帯状部１２ｃにおける搭載面１２ａには、ＬＥＤ１４が複数個直列に接続される３つの光源ユニット２４Ｂ〜２４Ｄが設けられる。
【０１３０】
ここで、３つの光源ユニット２４Ｂ〜２４Ｄのうち、光源ユニット２４Ｂは、外部接続部１２ｄを基点として帯状部１２ｃの一方側（図８Ａでは左側）に設けられる。また、残りの光源ユニット２４Ｃ、２４Ｄは、外部接続部１２ｄを基点として帯状部１２ｃの他方側（図８Ａでは右側）に設けられる。すなわち、実施形態とくらべて、光源ユニット２４Ｂに隣接する位置の光源ユニット２４Ａが除かれている。
【０１３１】
外部接続部１２ｄは、帯状部１２ｃの長手方向Ｌにおける中央部に相当する箇所から、帯状部１２ｃの短手方向Ｓに沿って突出する部位である。なお、変形例３においても、変形例１と同様に、外部接続部１２ｄは、帯状部１２ｃの長手方向Ｌにおける中心の位置からはシフトして配置されているが、これは奇数（３つ）の光源ユニット２４を帯状部１２ｃの両側に可能な範囲で均等に配置するためである。
【０１３２】
そのため、変形例３においても、変形例１と同様に、外部接続部１２ｄを帯状部１２ｃの長手方向Ｌにおける中央部に相当する箇所から突出する部位としてみなすことができる。
【０１３３】
そして、３つの光源ユニット２４Ｂ〜２４Ｄの正極５０Ｂ〜５０Ｄは、対応する負極５１Ｂ〜５１Ｄよりも外部接続部１２ｄからいずれも離れて設けられる。すなわち、すべての光源ユニット２４において、負極５１は対応する正極５０よりも外部接続部１２ｄ側に設けられる。
【０１３４】
つづいて、図８Ｂを参照しながら、３つの光源ユニット２４Ｂ〜２４Ｄに電力を供給する配線の構成について説明する。
【０１３５】
変形例３で除かれた光源ユニット２４Ａにつながれていた配線のうち、第１配線６０は正極５０Ｂの近傍から正極５０Ａに延びていた部分が除かれている。また、負極５１Ａにつながれていた第２配線６１Ａは、第２端子７１Ａとともに除かれている。
【０１３６】
ここで、変形例３において、帯状部１２ｃの長手方向Ｌに沿って延び、短手方向Ｓに並んで引きまわされる並列配線の数は、最大でも２本である。かかる２本の並列配線は、帯状部１２ｃのうち対向領域１２ｅの縁部から負極５１Ｄまでの領域１２ｆ２において、第１配線６０ｃと第２配線６１Ｄとで形成される。
【０１３７】
このように、１つの外部接続部１２ｄから３つの光源ユニット２４Ｂ〜２４Ｄに並列に配線を接続する場合に、変形例３によれば、帯状部１２ｃの長手方向Ｌに沿って延び、短手方向Ｓに並んで引きまわされる並列配線の数を、最大でも２本にすることができる。
【０１３８】
ここまでの実施形態および変形例１〜３において説明したように、複数の光源ユニット２４に対して１つの外部接続部１２ｄを設ける際に、光源ユニット２４の数が３つまたは４つの場合には、帯状部１２ｃの長手方向Ｌに沿って延び、短手方向Ｓに並んで引きまわされる並列配線の数を、最大でも２本にすることができる。
【０１３９】
また、複数の光源ユニット２４に対して１つの外部接続部１２ｄを設ける際に、光源ユニット２４の数が５つまたは６つの場合には、帯状部１２ｃの長手方向Ｌに沿って延び、短手方向Ｓに並んで引きまわされる並列配線の数を、最大でも３本にすることができる。
【０１４０】
このように、実施形態において、Ｎ個（Ｎ≧３）の光源ユニット２４に対して１つの外部接続部１２ｄを設ける場合、Ｎが奇数であれば、帯状部１２ｃの長手方向Ｌに沿って延び、短手方向Ｓに並んで引きまわされる並列配線の数を、最大でも（Ｎ＋１）／２本にすることができる。また、Ｎが偶数であれば、帯状部１２ｃの長手方向Ｌに沿って延び、短手方向Ｓに並んで引きまわされる並列配線の数を、最大でもＮ／２本にすることができる。
【０１４１】
すなわち、実施形態によれば、複数の光源ユニット２４に対して１つの外部接続部１２ｄを設ける際に、３つ以上の光源ユニット２４を配置する場合であれば、帯状部１２ｃの長手方向Ｌに沿って延び、短手方向Ｓに並んで引きまわされる並列配線の数を最小化することができる。
【０１４２】
さらに、実施形態によれば、複数の光源ユニット２４に対して外部接続部１２ｄを１つ設ければよいため、外部接続部１２ｄの第１端子７０および第２端子７１と外部電源とをつなぐ接続用の部品の数を１組にすることができる。したがって、かかる接続用の部品と外部接続部１２ｄの第１端子７０および第２端子７１とを接続する際に必要となる時間を減らすことができることから、製造コストを低減することができる。
【０１４３】
上述したように、実施形態によれば、１つの外部接続部１２ｄに対して複数の光源ユニット２４が搭載される基板１２において、共通した配線である第１配線６０に接続されるすべての正極５０は、対応する負極５１よりも外部接続部１２ｄから離れて配置される。これにより、帯状部１２ｃの長手方向Ｌに沿って延び、短手方向Ｓに並んで引きまわされる並列配線の数を少なくすることができることから、帯状部１２ｃの短手方向Ｓの幅を狭くすることができる。
【０１４４】
なお、上記の実施形態では、光源ユニット２４の第１極を正極５０とし、第２極を負極５１としていたが、第１極を負極５１とし、第２極を正極５０としてもよい。すなわち、光源ユニット２４の負極５１を、対応する正極５０よりも外部接続部１２ｄからいずれも離して設けてもよい。
【０１４５】
また、上述の実施形態では、基板１２の搭載面１２ａがＬＥＤ１４の発光面１４ａと同じ方向を向いている、いわゆるトップビュー型ＬＥＤの発光装置について示しているが、かかる例に限られない。たとえば、基板１２の搭載面１２ａと発光面１４ａとが略垂直である、いわゆるサイドビュー型ＬＥＤの発光装置に上述の実施形態を適用してもよい。
【０１４６】
さらに、上記の実施形態では、基板１２における搭載面１２ａとは反対側の面を配線面１２ｂとして用い、かかる配線面１２ｂに第１配線６０と第２配線６１とが設けられるが、配線面１２ｂは基板１２における搭載面１２ａとは反対側の面に限られない。
【０１４７】
たとえば、基板１２を多層ＦＰＣで構成し、かかる多層ＦＰＣの内部に形成される中間層を配線面１２ｂとして用いてもよい。このように、多層ＦＰＣの中間層を配線面１２ｂとして用いることにより、たとえば、基板１２の搭載面１２ａの反対側の面に絶縁層と放熱用の金属層とを積層させることができる。そして、かかる絶縁層と放熱用の金属層とを追加することにより、さらに放熱性の高い基板１２を実現することができる。さらに、かかる中間層は１層に限られず、複数層であってもよい。
【０１４８】
また、上記の実施形態では、基板１２に１つの外部接続部１２ｄを設けているが、基板１２に設けられる外部接続部１２ｄは１つに限られない。
【０１４９】
たとえば、８つの光源ユニット２４を基板１２に搭載する場合、４つの光源ユニット２４ごとに外部接続部１２ｄを１つ（すなわち、外部接続部１２ｄは合計で２つ）設けることにより、実施形態に示したように、帯状部１２ｃの長手方向Ｌに沿って延び、短手方向Ｓに並んで引きまわされる並列配線の数を、最大でも２本にすることができる。
【０１５０】
このように、搭載される光源ユニット２４の数に応じて、外部接続部１２ｄの数を適宜調整することにより、面状照明装置１０の薄型化と、製造コストの低減とを両立させることができる。
【０１５１】
以上のように、実施形態に係る面状照明装置１０は、基板１２と、複数の光源ユニット２４と、第１配線６０と、第２配線６１と、を備える。基板１２は、帯形状の帯状部１２ｃと、帯状部１２ｃの中央部から帯状部１２ｃの短手方向Ｓに向かって突出する外部接続部１２ｄとを有し、１つの主面である搭載面１２ａと、搭載面１２ａとは反対側の面である配線面１２ｂとが設けられる。複数の光源ユニット２４は、複数の光源（ＬＥＤ１４）が直列に接続されて設けられ、両端側にそれぞれ第１極（正極５０）と第２極（負極５１）とを有し、基板１２の帯状部１２ｃにおける搭載面１２ａに帯状部１２ｃの長手方向Ｌに沿って並んで配置され、光源（ＬＥＤ１４）の発光面１４ａが導光板１５の側面１５ａと対向する。第１配線６０は、基板１２の配線面１２ｂに設けられ、外部接続部１２ｄと第１極（正極５０）との間を共通して接続する。第２配線６１は、基板１２の配線面１２ｂに設けられ、外部接続部１２ｄと第２極（負極５１）との間を接続する。そして、外部接続部１２ｄは複数の光源ユニット２４に対して１つ設けられ、１つの外部接続部１２ｄに対応するすべての光源ユニット２４の第１極（正極５０）は、光源ユニット２４の第２極（負極５１）よりも外部接続部１２ｄから離れて設けられる。これにより、トップビュー型のＬＥＤ１４を用いる場合であっても、面状照明装置１０の薄型化を図ることができる。また、サイドビュー型のＬＥＤを用いる場合には、面状照明装置の入光側の狭額縁化を図ることができる。
【０１５２】
また、実施形態に係る面状照明装置１０において、第２配線６１は複数設けられ、複数の第２配線６１が外部接続部１２ｄと複数の第２極（負極５１）との間を個別に接続する。これにより、すべての光源ユニット２４を安定して発光させることができる。
【０１５３】
また、実施形態に係る面状照明装置１０において、第１配線６０は、外部接続部１２ｄから、外部接続部１２ｄに隣接する一対の光源ユニット２４Ｂ、２４Ｃの第２極（負極５１Ｂ、５１Ｃ）の間を経由して、帯状部１２ｃにおいて外部接続部１２ｄが設けられる長辺とは反対側の長辺に近接する位置（接点６０ａ）に延びている。これにより、帯状部１２ｃの長手方向Ｌに沿って延び、短手方向Ｓに並んで引きまわされる配線の最大数をさらに少なくすることができる。
【０１５４】
また、実施形態に係る面状照明装置１０において、外部接続部１２ｄに隣接する光源ユニット２４Ｂ、２４Ｃの第２極（負極５１Ｂ、５１Ｃ）は、基板１２の帯状部１２ｃにおいて外部接続部１２ｄと向かい合う対向領域１２ｅに配置される。これにより、帯状部１２ｃの長手方向Ｌに沿って延び、短手方向Ｓに並んで引きまわされる配線の数をさらに少なくすることができる。
【０１５５】
また、実施形態に係る面状照明装置１０において、光源ユニット２４は、１つの外部接続部１２ｄに対して３つ以上設けられる。これにより、帯状部１２ｃの長手方向Ｌに沿って延び、短手方向Ｓに並んで引きまわされる並列配線の数を最小化することができる。
【０１５６】
また、実施形態に係る面状照明装置１０において、第１極は正極５０であり、第２極は負極５１である、これにより、すべての光源ユニット２４を安定して発光させることができる。
【０１５７】
また、上記実施の形態により本発明が限定されるものではない。上述した各構成要素を適宜組み合わせて構成したものも本発明に含まれる。また、さらなる効果や変形例は、当業者によって容易に導き出すことができる。よって、本発明のより広範な態様は、上記の実施の形態に限定されるものではなく、様々な変更が可能である。
【符号の説明】
【０１５８】
１０  面状照明装置
１２  基板
１２ａ  搭載面
１２ｂ  配線面
１２ｃ  帯状部
１２ｄ  外部接続部
１２ｅ  対向領域
１４  ＬＥＤ（光源）
１４ａ  発光面
１５  導光板
１５ａ  側面
２４、２４Ａ〜２４Ｆ  光源ユニット
５０、５０Ａ〜５０Ｆ  正極
５１、５１Ａ〜５１Ｆ  負極
６０  第１配線
６１、６１Ａ〜６１Ｆ  第２配線
７０  第１端子
７１、７１Ａ〜７１Ｆ  第２端子
【図１】
2020115465.tif 000003
【図２】
2020115465.tif 000004
【図３Ａ】
2020115465.tif 000005
【図３Ｂ】
2020115465.tif 000006
【図４Ａ】
2020115465.tif 000007
【図４Ｂ】
2020115465.tif 000008
【図５Ａ】
2020115465.tif 000009
【図５Ｂ】
2020115465.tif 000010
【図６Ａ】
2020115465.tif 000011
【図６Ｂ】
2020115465.tif 000012
【図７Ａ】
2020115465.tif 000013
【図７Ｂ】
2020115465.tif 000014
【図８Ａ】
2020115465.tif 000015
【図８Ｂ】
2020115465.tif 000016